(57)【要約】【課題】屋外に設置される標識用ポール柱等柱状構築物の接地部周囲の雑草の生長を簡易かつ効果的に防止し、草刈り作業の不便さを解消できる手段を提供すること。【解決手段】柱状構造物嵌合用の孔部１０を形成する貫通壁部１とするための欠切部１Ａ、１Ｂを有するマット部材２Ａ、２Ｂ二部を、各接合用端部２１Ａ、２１Ｂにおいて接合することにより、ポール用マットを構成する。その断面は該通壁部１において最も厚く、外周部８に向かって断面厚さが漸減するように形成する。ポール用マットは、孔部１０を形成する貫通壁部１が柱状構造物の設置部外周と嵌合する状態で敷設される。【選択図】　図２
2004060279.tif 000002
【特許請求の範囲】
【請求項１】
屋外に設置される標識用ポール、電柱、コマーシャルボードの脚部等の柱状構築物の接地部外周に敷設して用いるためのポール用マットであって、該ポール用マットには該柱状構造物の設置部外周と嵌合する状態で該マットを敷設することのできる孔部を形成する貫通壁部が設けられていることを特徴とする、ポール用マット。
【請求項２】
前記ポール用マットは、柱状構造物嵌合用の孔部を形成する貫通壁部とするための欠切部を有するマット部材二部が、該マット部材において該欠切部が設けられた端部である接合用端部が接合されることにより構成されるものであり、その断面は該貫通壁部において最も厚く、外周部に向かって断面厚さが漸減するように形成されていることを特徴とする、請求項１に記載のポール用マット。
【請求項３】
前記マット部材の接合用端部には、他方のマット部材の接合用端部と係合するためのフック構造が設けられていることを特徴とする、請求項２に記載のポール用マット。
【請求項４】
前記貫通壁部の上部に、該貫通壁部により形成される孔部を上方に延長するように形成される突設壁部が設けられ、柱状構造物に敷設された場合には該柱状構造物側面部と該突設壁部とを密着した状態とすることができることを特徴とする、請求項１ないし３のいずれかに記載のポール用マット。
【請求項５】
材質がゴムであることを特徴とする、請求項１ないし４のいずれかに記載のポール用マット。
【発明の詳細な説明】
【０００１】
【発明の属する技術分野】
本発明はポール用マットに関し、特に、屋外に設置される標識用ポール、電柱、コマーシャルボードの脚部等の柱状構築物の接地部外周に敷設して用い、これら柱状構造物周囲における草刈り作業の不便さを解消することのできる、ポール用マットに関する。
【０００２】
【従来の技術】
道路路肩に設置される標識用ポール、電柱、コマーシャルボードの脚部等の柱状構築物の接地部付近に生長する雑草の草刈り作業は、草刈り機等の機械を用いて行うことが困難であるため、手作業により行わざるを得ず、不便である。したがってその煩雑さを嫌い、あるいは労働力コストの点から、これらの周囲を刈り残した状態で暫時放置されることも往々にしてある。
【０００３】
これら柱状構造物には、路肩に設置される反射板付きのポール等のように、柱状構造物自体が道路利用者等から視認されるべきものもあり、係る場合はポール周辺の刈り残し雑草の存在は望ましいものではない。また、これら雑草の生長は道路利用者等にとっては視認不能の死角となる場所を形成することにもなり、防犯、道路交通安全等の観点からも望ましいものではない。
【０００４】
また、特に田園地帯で設置される電柱や、道路脇に設置されるコマーシャルボードの脚部などの周囲に雑草が生長している場合は、環境美化、景観保護上も好ましいものではない。
【０００５】
【発明が解決しようとする課題】
しかし従来は、これらの問題を簡便な方法により効果的に解決できる手段がなく、簡易かつ効果的な解決手段が求められていた。本発明の課題は、上記従来技術の欠点を除き、屋外に設置される標識用ポール、電柱、コマーシャルボードの脚部等の柱状構築物の接地部周囲の雑草の生長を簡易かつ効果的に防止するとともに、これら柱状構造物周囲における草刈り作業の不便さを解消することのできる手段を提供することである。そしてこれにより、ひいては交通安全、防犯、環境美化、景観保護に貢献することのできる手段を提供することである。
【０００６】
一方、世界的に廃タイヤの資源リサイクルが問題となっており、廃タイヤの有効活用、しかも相当規模の需要の創出がなされれば、係る問題の解決、すなわち廃タイヤ廃棄処理、ならびにその資源リサイクルの問題の解決、およびこれを焼却処分することによる地球環境への負荷の低減にも世界規模で貢献することができる。したがって本発明の別の課題は、上述した課題の解決において廃タイヤ需要の創出を図ることである。
【０００７】
【課題を解決するための手段】
本願発明者は上記課題について鋭意検討した結果、柱状構築物の接地部外周に敷設して用いるマットにより上記課題を解決できることを見出し、本発明に至った。すなわち、上記課題を解決するための手段として本願で特許請求される発明は、以下のとおりである。
【０００８】
（１）屋外に設置される標識用ポール、電柱、コマーシャルボードの脚部等の柱状構築物の接地部外周に敷設して用いるためのポール用マットであって、該ポール用マットには該柱状構造物の設置部外周と嵌合する状態で該マットを敷設することのできる孔部を形成する貫通壁部が設けられていることを特徴とする、ポール用マット。
【０００９】
（２）前記ポール用マットは、柱状構造物嵌合用の孔部を形成する貫通壁部とするための欠切部を有するマット部材二部が、該マット部材において該欠切部が設けられた端部である接合用端部が接合されることにより構成されるものであり、その断面は該貫通壁部において最も厚く、外周部に向かって断面厚さが漸減するように形成されていることを特徴とする、（１）のポール用マット。
【００１０】
（３）前記マット部材の接合用端部には、他方のマット部材の接合用端部と係合するためのフック構造が設けられていることを特徴とする、（２）のポール用マット。
【００１１】
（４）前記貫通壁部の上部に、該貫通壁部により形成される孔部を上方に延長するように形成される突設壁部が設けられ、柱状構造物に敷設された場合には該柱状構造物側面部と該突設壁部とを密着した状態とすることができることを特徴とする、（１）ないし（３）のいずれかのポール用マット。
【００１２】
（５）材質がゴムであることを特徴とする、（１）ないし（４）のいずれかのポール用マット。
【００１３】
【発明の実施の形態】
以下、本発明を図面により詳細に説明する。
図１は、本発明のポール用マットの縦断面図である。図において本ポール用マットは、屋外に設置される標識用ポール、電柱、コマーシャルボードの脚部等の柱状構築物の接地部外周に敷設して用いるためのものであって、該ポール用マットには該柱状構造物の設置部外周と嵌合する状態で該マットを敷設することのできる孔部１０を形成する貫通壁部１が設けられていることを、主たる構成とする（請求項１）。図においては、後述する二部のマット部材２Ａ、２Ｂからなる構成が示されているが、請求項１の発明はこれに限定されるものではない。また、該マット部材二部からなる場合であっても、その接合方法は後述するフック構造による接合のみに限定されるものではないため、図ではマット部材２Ｂの下になったマット部材２Ａの端部は、一本の破線で示している。
【００１４】
本ポール用マットの材質や特性は特に限定されないが、敷設された地面を遮光し、風により容易に吹き飛ばされない程度の重量を有し、かつ耐候性を有するものが用いられる。
【００１５】
本ポール用マットの平面形状は、適用される柱状構造物およびその設置場所を考慮し、周辺の草刈り作業の容易性、柱状構造物の保全の容易性、景観等を勘案した上で、四角形、円形など適宜の形状のものを用いることができる。
【００１６】
図２は、マット部材二部からなる本発明のポール用マットの構成を示す平面図である。図において本ポール用マットは、柱状構造物嵌合用の孔部１０（図１参照。）を形成する貫通壁部１（図１参照。）とするための欠切部１Ａ、１Ｂを有するマット部材２Ａ、２Ｂ二部からなり、各マット部材２Ａ、２Ｂにおいて各欠切部１Ａ、１Ｂが設けられた端部である接合用端部２１Ａ、２１Ｂが接合されることにより、図１に示した本発明のポール用マットが構成される。そして、その断面は該貫通壁部１において最も厚く、外周部８に向かって断面厚さが漸減するように形成された構成をとる。（図１、３参照）（請求項２）。図では、後述するフック構造を有する接合用端部２１Ａ、２１Ｂを示しているが、本発明はこれに限定されない。たとえば、各接合用端部を、一方が他方の上部に重なるような楔状形状として両接合用端部を重ねたり、両接合用端部を接着剤で接合したり、あるいは楔状形状とした上で接着剤を用いて接合することもできる。
【００１７】
図３は、図１のポール用マットのＩＩＩ矢視方向側面図であり、図２に示すマット部材２Ａ、２Ｂからなるポール用マットが、その断面が該貫通壁部１において最も厚く、外周部８に向かって断面厚さが漸減するように形成された構成を示す。図においてまた、該マット部材２Ａの接合用端部２１Ａには、他方のマット部材２Ｂの接合用端部２１Ｂと係合するためのフック構造３Ａが設けられ、一方該マット部材２Ｂの接合用端部２１Ｂには、他方のマット部材２Ａの接合用端部２１Ａと係合するためのフック構造３Ｂが設けられた構成とすることができる（請求項３）。図４には、図３のフック構造部分の拡大側面図を示す。
【００１８】
以上の図および説明に拘らず、本発明のポール用マットは、三以上のマット部材をこれらに付設されたフック構造等適宜の接合用手段を用いて接合することにより、構成することができる。
【００１９】
【作用】
図１、２、３および４に示す構成をとることにより、本発明のポール用マットは、屋外に設置される標識用ポール、電柱、コマーシャルボードの脚部等の柱状構築物の接地部外周に、孔部１０を形成する貫通壁部１が該柱状構築物に嵌合する状態で敷設される。またポール用マットを構成するためのマット部材二部２Ａ、２Ｂは、前記欠切部１Ａ、１Ｂが設けられた端部である接合用端部２１Ａ、２１Ｂが接合されて、該ポール用マットとなる。接合は、該接合用端部２１Ａ、２１Ｂに設けられたフック構造３Ａ、３Ｂにより行うことができる。これによれば該マット部材２Ａ、２Ｂを容易に脱着することができ、かつ本ポール用マットの用途に充分な確実な接合を得ることができる。
【００２０】
ポール用マットが、既に草刈りがなされ雑草等が除去された後の柱状構造物周囲に敷設されると、該マットの敷設された地面からは雑草等が生育せず、しかも材質の遮光性、耐候性、重量によりその効果を持続させることができ、不便な柱状構造物周囲の草刈り作業を不要とすることができる。
【００２１】
ポール用マットの断面は該貫通壁部１において最も厚く、外周部８に向かって断面厚さが漸減するように形成されるため、敷設されたポール用マット上における排水が容易になされ、該貫通壁部１付近その他マット上に雨水等が溜まることがなく、衛生、作業性、柱状構造物の保全、景観面等においても不都合を廃することができる。
【００２２】
図５は、突設壁部を設けた本発明のポール用マットの一部拡大側面図である。図において本ポール用マットは、前記貫通壁部１の上部に、該貫通壁部１により形成される孔部１０を上方に延長するように形成される突設壁部５が設けられ、柱状構造物に敷設された場合には該柱状構造物側面部と該突設壁部５とを密着した状態とすることができる構成をとる（請求項４）。これにより、ポール用マットは柱状構造物側面と密着させて設けることができ、柱状構造物とポール用マットとの間に雨水等が進入し、さらにはそれが溜まることを防止でき、柱状構造物の腐食を防止することができる。
【００２３】
前記突設壁部５は、たとえば図のようにゴムスカート部５１、シーリング部５２をポール用マット上部に設けることにより構成することができる。また、柱状構造物とポール用マットとの間への雨水等の進入防止効果を高め、かつポール用マットの固定を確実なものとするために、ステンレスバンド等の緊締手段５３を設けることができる。
【００２４】
図６は、材料としてゴムを用いた本発明のポール用マットの一部拡大断面構造を示す概念図である。図において本ポール用マットは、たとえば自動車の廃タイヤから製造されるゴムチップＲｔにより基本的に構成し、その表層部分はゴムコーティングＲｃの被覆をする構造とすることができる（請求項５）。世界的に廃タイヤの資源リサイクルが問題となっているが、廃タイヤを有効活用して道路路肩用標識や電柱などの柱状構造物に用いる本発明のポール用マットを製造すれば、相当規模の需要の創出および廃タイヤ廃棄処理の問題ならびにこれを焼却処分することによる地球環境への負荷の低減を図ることができる。
【００２５】
【実施例】
以下、本発明を実施例により説明するが、本発明のポール用マットはこれら実施例に限定されるものではない。
実施例１
図７は、実施例１による貫通壁部１１１を有するポール用マット構成を示す斜視図であり、二部のマット部材１０１Ａ、１０１Ｂによりポール用マット１０１を構成する例である。図のように、孔部付近の排水を促進するために、排水用溝６を設けた構成とすることができる。また、各コーナー部は破損防止等のため丸みを付けた形状とすることができる。
図８は、実施例１によるポール用マット１０１の使用態様を示す斜視図であり、道路路肩用標識９１に用いた場合を示す。
【００２６】
実施例２
図９は、実施例２によるポール用マット構成を示す斜視図であり、平面形状を円形として貫通壁部１２１を有するポール用マット１０２を構成する例である。全体としては傘型の形状をとる。
図１０は、実施例２によるポール用マット１０２の使用態様を示す斜視図であり、電柱９２に用いた場合を示す。
【００２７】
【発明の効果】
本発明のポール用マットは上述のように構成されているため、屋外に設置される標識用ポール、電柱、コマーシャルボードの脚部等の柱状構築物の接地部周囲の雑草の生長を簡易かつ効果的に防止することができ、これら柱状構造物周囲における草刈り作業の不便さを解消し、手作業を排して機械作業のみで行うことができ、作業を迅速化することができる。これにより、労働力を削減することができ、さらに交通安全、防犯、環境美化、景観保護に貢献することができる。
【００２８】
また、本発明のポール用マットを製造することにより、世界的に問題となっている廃タイヤの資源リサイクルの観点からは、その有効活用、および相当規模の需要の創出を図るとともに、廃タイヤ廃棄処理の問題の解決、ならびにこれを焼却処分することによる地球環境への負荷の低減に貢献することがができる。
【図面の簡単な説明】
【図１】本発明のポール用マットの平面図である。
【図２】マット部材二部からなる本発明のポール用マットの構成を示す平面図である。
【図３】図１のポール用マットのＩＩＩ矢視方向側面図である。
【図４】図３のフック構造部分の拡大側面図である。
【図５】突設壁部を設けた本発明のポール用マットの一部拡大側面図である。
【図６】ゴムを用いた本発明のポール用マットの一部拡大断面構造を示す概念図である。
【図７】本発明のポール用マット（実施例１）の斜視図である。
【図８】本発明のポール用マット（実施例１）の使用態様を示す斜視図である。
【図９】本発明のポール用マット（実施例２）の斜視図である。
【図１０】本発明のポール用マット（実施例２）の使用態様を示す斜視図である。
【符号の説明】
１、１１１、１２１…貫通壁部、　１Ａ、１Ｂ…欠切部、　２Ａ、２Ｂ、１０１Ａ、１０１Ｂ…マット部材、　３Ａ、３Ｂ…フック構造、　５…突設壁部、　６…排水用溝、　８…外周部、　１０…孔部、　２１Ａ、２１Ｂ…接合用端部、　５１…ゴムスカート部、　５２…シーリング部、　５３…緊締手段、　９１、９２…柱状構造物、　１０１、１０２…ポール用マット（実施例）、　Ｒｔ…ゴムチップ、　Ｒｃ…ゴムコーティング
【図１】
2004060279.tif 000003
【図２】
2004060279.tif 000004
【図３】
2004060279.tif 000005
【図４】
2004060279.tif 000006
【図５】
2004060279.tif 000007
【図６】
2004060279.tif 000008
【図７】
2004060279.tif 000009
【図８】
2004060279.tif 000010
【図９】
2004060279.tif 000011
【図１０】
2004060279.tif 000012